(57)【要約】      （修正有）【課題】冷却性の高いＸ線ＣＴ装置を提供する。【解決手段】一形態にかかるＸ線ＣＴ装置は、Ｘ線を照射するＸ線管と、Ｘ線を検出するＸ線検出器と、回転可能に構成され、Ｘ線管及びＸ線検出器を支持するとともに、吸気孔３４が形成された吸気部３５と、吸気部３５の回転方向上流側の端部において、回転方向上流側から下流側に向けて縮小する絞り流路３８ａを構成するガイド部３７と、を備える回転フレーム３２と、を備える。【選択図】図５
2017051484.tif 000002
【特許請求の範囲】
【請求項１】
Ｘ線を照射するＸ線管と、
前記Ｘ線を検出するＸ線検出器と、
回転可能に構成され、前記Ｘ線管及びＸ線検出器を支持するとともに、吸気孔が形成された吸気部と、前記吸気部の回転方向上流側の端部において、回転方向上流側から下流側に向けて縮小する絞り流路を構成するガイド部と、を備える回転フレームと、
を備える、Ｘ線ＣＴ装置。
【請求項２】
前記回転フレームを収容するガントリをさらに備え、
前記回転フレームは、前記吸気部が配される周壁部と、この周壁部の回転軸方向の側部に配され、排気孔を有する側壁部と、を備え、
前記側壁部の前記排気孔にはファンが設けられた、請求項１記載のＸ線ＣＴ装置。
【請求項３】
前記ガイド部は、前記回転フレームの内面に立設された壁状部材であって、前記吸気部を挟んで配され回転方向に延びるガイド壁部と、前記吸気部よりも上流側から前記吸気部に向かって流路を絞る絞り壁部と、を備え、請求項１または２記載のＸ線ＣＴ装置。
【請求項４】
前記ガイドは前記Ｘ線検出器を構成する部品を支持する支持用のリブ構造で構成される、請求項１乃至３のいずれか記載のＸ線ＣＴ装置。
【請求項５】
Ｘ線を照射するＸ線管と、
前記Ｘ線を検出するＸ線検出器と、
前記Ｘ線管及びＸ線検出器を支持するとともに、回転可能に構成され、吸気孔が形成された吸気部と、外面側において前記吸気部の周囲に立設されたガイド壁と、を有する回転フレームと、を備える、Ｘ線ＣＴ装置。
【請求項６】
前記回転フレームを収容するとともに換気口を有するガントリをさらに備え、
前記回転フレームは、停止状態において、前記ガントリの前記換気口に対向配置され、
停止状態において、前記ガイド壁は前記吸気部の周りから、前記換気口に向けて延びる、請求項５記載のＸ線ＣＴ装置。
【請求項７】
前記ガイド壁は、１つ以上の吸気孔を囲み、前記回転方向に対して湾曲するカーブ状の壁面を有する、請求項５または６記載のＸ線ＣＴ装置。
【請求項８】
前記ガイド壁は回転方向の下流側において開口部を備える請求項５乃至７のいずれか記載のＸ線ＣＴ装置。
【請求項９】
前記吸気部は前記回転フレームにおいて複数箇所に設けられることを特徴とする請求項５乃至請求項１乃至８のいずれか記載のＸ線ＣＴ装置。
【発明の詳細な説明】
【技術分野】
【０００１】
本発明の実施形態は、Ｘ線ＣＴ装置に関する。
【背景技術】
【０００２】
Ｘ線ＣＴ（Ｃｏｍｐｕｔｅｒ  Ｔｏｍｏｇｒａｐｈｙ）装置において、被検体にＸ線を照射するＸ線管と、Ｘ線管に対向配置されるとともにＸ線を検出するＸ線検出器とが、例えば環状の回転フレームに設けられる。回転フレームは、ガントリと呼ばれる略密閉構造の架台内で回転可能に構成されている。このようなＸ線ＣＴ装置において、ガントリ内に、例えば回転フレームに吸気穴とファンを設け、ガントリ内を冷却することがある。
【先行技術文献】
【特許文献】
【０００３】
【特許文献１】特開２００９−２６８８３０号公報
【発明の概要】
【発明が解決しようとする課題】
【０００４】
本発明の実施形態は、冷却性の高いＸ線ＣＴ装置を提供することを目的とする。
【課題を解決するための手段】
【０００５】
一形態にかかるＸ線ＣＴ装置は、Ｘ線を照射するＸ線管と、前記Ｘ線を検出するＸ線検出器と、回転可能に構成され、前記Ｘ線管及びＸ線検出器を支持するとともに、吸気孔が形成された吸気部と、前記吸気部の回転方向上流側の端部において、回転方向上流側から下流側に向けて縮小する絞り流路を構成するガイド部と、を備える回転フレームと、を備える。
【図面の簡単な説明】
【０００６】
【図１】第１実施形態に係るＸ線診断装置の構成を示す斜視図。
【図２】同実施形態にかかるＸ線ＣＴ装置の構成を概略的に示す説明図。
【図３】同Ｘ線ＣＴ装置の一部の構成を示す断面図。
【図４】同Ｘ線ＣＴ装置の回転フレームの外側を示す斜視図。
【図５】同回転フレームの一部の内側の構成を示す斜視図。
【図６】同回転フレームの構成と圧力及び流速の関係を示す説明図。
【図７】第２実施形態にかかるＸ線ＣＴ装置の構成を示す断面図。
【図８】同Ｘ線ＣＴ装置の回転フレームの外側面を示す平面図。
【図９】他の実施形態にかかるＸ線ＣＴ装置の回転フレームの外側面を示す平面図。
【図１０】他の実施形態にかかるＸ線ＣＴ装置の一部の構成を示す断面図。
【図１１】他の実施形態にかかるＸ線ＣＴ装置の一部の構成を示す断面図。
【図１２】他の実施形態にかかるＸ線ＣＴ装置の一部の構成を示す断面図。
【図１３】他の実施形態にかかるＸ線ＣＴ装置の回転フレームの外側を示す斜視図。
【図１４】他の実施形態にかかるＸ線ＣＴ装置の回転フレームの外側面を示す平面図。
【発明を実施するための形態】
【０００７】
［第１実施形態］
以下、第１実施形態にかかるＸ線ＣＴ装置１０について、図１乃至図５を参照して説明する。各図において説明のため、適宜構成を拡大、縮小または省略して示している。図１は、第１実施形態に係るＸ線診断装置の構成を概略的に示す説明図である。図２はＸ線ＣＴ装置の構成を概略的に示す説明図であり、図３はＸ線ＣＴ装置１０の断面図である。図４は、回転フレーム２３の外側を示す斜視図であり、図５は回転フレーム２３の一部を示す斜視図であり、図４におけるＶ−Ｖ線で切断した断面の内部を示している。
【０００８】
図１に示すように、Ｘ線診断装置は、Ｘ線ＣＴ装置１０と、被検体（人体）を載せて移動させるための寝台装置１１と、Ｘ線ＣＴ装置１０の操作入力や画像表示を行うためのコンソール１２と、を備えている。
【０００９】
図２に示すように、Ｘ線ＣＴ装置１０は、被検体に向けてＸ線を照射するＸ線管２１と、被検体を挟んでＸ線管２１に対向配置されたＸ線検出器２２と、回転可能に構成され、Ｘ線管２１、Ｘ線検出器２２及び高電圧発生装置等の各種装置を支持する回転フレーム２３と、回転フレーム２３の外部を覆う外郭を構成するガントリ２４と、を備えている。
【００１０】
Ｘ線管２１は、高圧発生装置から供給された管電圧に応じてＸ線を発生する機能を有する。
【００１１】
Ｘ線検出器２２は、入射したＸ線を直接的又は間接的に電荷に変換する複数の検出素子２５と、信号処理用の複数の信号基板２６と、を備える。
【００１２】
複数の検出素子２５は、寝台上に載置された被検体Ｐを挟んでＸ線管２１に対向する位置に、２次元状に配列されている。複数の検出素子２５は、所定形状のセラミクス材から成る検出基板２５ａに設けられている。検出基板２５ａは回転フレーム２３の内壁に形成されたリブ状の支持片２３ｂに支持されて配設される。
【００１３】
信号基板２６は、検出素子２５からの信号を処理するための各種電子部品が搭載された配線基板である。各信号基板２６は、例えば回転フレーム２３の側壁や周壁に形成された支持部材２７に支持されて配設される。例えば実施形態において、それぞれ矩形の板状に構成された信号基板２６が、その厚さ方向が回転フレームの回転方向に沿うように、所定の間隔で複数枚、立設される。
【００１４】
回転フレーム２３は、例えば円環状の筐体であり、Ｘ線管２１及びＸ線検出器２２を対向配置して支持する。図３乃至図５に示すように、回転フレーム２３は円弧状の外周面を構成する周壁部３１と、周壁部３１の両端縁から内方に立設される一対の対向する側壁部３２と、備えている。回転フレーム２３は略密閉構造のガントリ２４内に収容され、ガントリ２４内にて回転可能に構成されている。
【００１５】
側壁部３２と外周壁には、補強用のリブや各種部品を支持するフックなどの各種支持構造３３が形成されている。外周壁と側壁部３２で囲まれる円弧状の空間に、検出素子２５を搭載した検出基板２５ａや、複数の信号基板２６などの各種部品が配置されている。
【００１６】
周壁部３１には、複数の吸気孔３４を有する吸気部３５が形成されている。例えば本実施形態において、検出素子２５及び信号基板２６が配列されている検出器部分の外周部分に吸気部３５が配されている。吸気孔３４は回転の周方向に並列して形成されている。本実施形態においては８つの吸気孔３４が形成される。各吸気孔３４は、例えば長手方向が回転軸方向に沿って延びる矩形のスリット状の開口であって回転フレーム２３の外部と内部とを連通している。すなわち、吸気孔３４の間には周壁部３１の一部で構成されたビーム状の部材が複数配される。複数の吸気孔３４を配列して有する吸気部３５は回転方向に沿って所定長さを有するとともに、回転の軸方向すなわち周壁部３１の幅方向において所定長さを有する。
【００１７】
周壁部３１の内面には、吸気部３５を挟んで対向する一対の整流板３６を有するガイド部３７が設けられている。例えば各整流板３６は所定の厚さ及び高さを有し、周壁の内面から立設される壁状部材であって、回転フレーム２３の周壁部３１に一体形成されている。一対の整流板３６は、吸気部３５よりも回転方向先方の部位から、吸気部３５に向けて対向する整流板３６間の距離が小さくなるように傾斜して延びる絞り壁部３６ａと、吸気部３５の両脇を通って回転方向に沿って延びるガイド壁部３６ｂと、を連続して備えている。
【００１８】
すなわち、一対の整流板３６を有するガイド部３７によって、吸気部３５よりも上流側の位置から吸気部３５の上流側端部に向かって流路が縮小する絞り流路３８ａと、この絞り流路３８ａから回転方向に沿って下流側に延びる一定幅のガイド流路３８ｂと、を連続して有する流路３８が形成される。
【００１９】
回転フレーム２３の幅方向一方側の側壁部３２には、回転フレーム２３内の空間に連通する複数の排気孔３９と、この排気孔３９に設置される回転羽根式のファン４０と、を備える排気部４１が設けられている。
【００２０】
したがって、回転フレーム３２には、吸気部３５から、回転フレーム３２内の空間を通って排気部４１に至る所定の通風路が形成される。
【００２１】
図５及び図６に示すように、周壁部３１の内面には、一対の整流板３６を挟んで両側に、一対の支持部材２７が形成されている。支持部材２７は、例えば回転方向に沿って形成され、所定の高さ及び幅を有する壁状に構成されている。一対の支持部材２７の回転の径方向内側の端面は櫛歯状に構成され、内方に突出する凸状の支持片２７ａと、外方に凹む凹形状のスリット２７ｂとが、所定のピッチで交互に形成されている。一対の支持部材２７に形成されたスリット２７ｂは、信号基板２６の外周縁における両端がそれぞれ挿入可能に構成され、スリット２７ｂの両隣の支持片２７ａによって信号基板２６を挟持可能に構成されている。なお、図５においては信号基板２６を１枚のみ示し、その他の信号基板２６を省略して示している。
【００２２】
図２に示すように、ガントリ２４は、例えば回転フレーム２３の外面を覆うとともに、回転フレーム２３を回転可能に支持可能に構成されている。ガントリ２４は回転フレーム２３を覆う所定の筺状であって、ガントリ２４の所定箇所には、外部に連通する吸気や排気用の換気口２４ａが形成されている。
【００２３】
コンソール１２は、撮影画像データを表示するためのモニタを有する表示部４２と、被検体情報や各種コマンド信号、Ｘ線照射条件、撮影条件、等の各種情報が入力可能に構成された入力部４３と、各部の動作を制御する制御部４４と、を備えている
制御部４４は、回転フレーム２３の回転、高電圧発生部からＸ線管２１への高電圧の印加、及びＸ線検出器２２の信号読み出し、の各動作を制御する。制御部の制御によって、撮影動作が実行され、撮影画像（投影画像）のデータを生成する。制御部４４の制御によって回転フレーム２３が回転しながら撮影を繰り返すことで、三次元画像データ再構成に必要な多方向の撮影画像データを取得する。
【００２４】
以上の様に構成されたＸ線ＣＴ装置１０において、撮影時に制御部４４の制御によって回転フレーム２３が回転すると、Ｘ線管２１とＸ線検出器２２が、互いに対向した状態で被検体Ｐの周りを回転する。
【００２５】
この回転フレーム３２の回転動作と、排気部４１のファン４０の動作によって、空気が、吸気孔３４から強制的に取り込まれ、検出器２２が配される回転フレーム３２内の空間を通って排気孔３９から排出させられる。このとき、空気は所定の間隔で配設された信号基板２６間の隙間を通り、また検出素子２５の裏側を通ることで、検出素子２５や信号基板２６で発生した熱を冷却することができる。
【００２６】
回転フレーム３２の吸気部３５の周囲には、一対の整流板３６が配され、回転方向の先方から、流体の入り口となる吸気部３５に向かう絞り流路３８ａが形成されている。このため、図６に示すように、回転フレーム２３の回転によって回転フレーム２３の内面に沿って流れる空気は絞り流路３８ａを通って狭いガイド流路３８ｂを通ることで速度が早くなる。したがって、ガントリ内２４の回転フレーム２３の検出器２２位置において、回転フレーム２３内部の風速Ｖｉ２が外部の風速Ｖ０よりも大きく、回転フレーム２３内の静圧Ｐｉ２が外部の静圧Ｐ０よりも小さくなる。この圧力差によって、吸気孔３４を通って回転フレーム３２の外部から内部に向かう空気の移動が促され、通気量が多くなる。
【００２７】
一方、図６に比較例として示す絞り部やガイド部のない回転フレーム２３にあっては、回転フレーム２３の内部の風速Ｖｉ１と外部の風速Ｖ０が略同じで、ガントリ２４内において、回転フレーム２３内の静圧Ｐｉ１と外部の静圧Ｐ０とがほぼ同じである。したがって、圧力差が小さく、本実施形態の構造と比べて通気量が少ない。
【００２８】
本実施形態によれば、吸気部３５に流体を案内するガイド部３７を設け、その上流端部に圧力差を生じさせる絞り構造を形成したことにより、回転フレーム２３の回転による吸気量を増加させ、単純な構造で冷却性能を向上することができる。例えば吸気量を増やすために排気用のファンの回転数をあげたり、ファンの数を増やしたりする場合と比べて、より単純な構造で冷却性能を向上させることができ、省スペース化や騒音防止にも有効である。
［第２実施形態］
以下、第２実施形態にかかるＸ線ＣＴ装置１１０について、図７及び図８を参照して説明する。図７は、第２実施形態にかかるＸ線ＣＴ装置１１０の構成を示す断面図であり、図８はＸ線ＣＴ装置１１０の回転フレーム２３の一部の外側面を示す平面図である。
【００２９】
なお、第２実施形態に係る回転フレーム２３は、外面にガイド壁１３６からなるガイド部１３７を備えているが、この他は第１実施形態にかかるＸ線ＣＴ装置１０と同様であるため、第２実施形態にかかるＸ線ＣＴ装置１１０において、第１実施形態と同一の構成には同一の符号を付し、重複する説明は省略する。
【００３０】
図７及び図８に示すように、本実施形態のＸ線ＣＴ装置１１０の回転フレーム２３は、第１実施形態と同様に、例えば円環状の筐体であり、Ｘ線管２１及びＸ線検出器２２を対向配置して支持する。
【００３１】
回転フレーム２３は円弧状の外周面を構成する周壁部３１と、周壁部３１の両端縁から内方に立設される一対の対向する側壁部３２と、備えている。回転フレーム２３は略密閉構造のガントリ２４内に収容され、ガントリ２４内にて回転可能に構成されている。
【００３２】
側壁部３２と外周壁には、補強用のリブや各種部品を支持するフックなどの各種支持構造３３が形成されている。外周壁と側壁部３２で囲まれる円弧状の空間に、検出素子２５を搭載したセラミクス基板２５ａや、複数の信号基板２６などの各種部品が配置されている。
【００３３】
周壁部３１には、複数の吸気孔３４を有する吸気部３５が形成されている。例えば検出素子２５及び信号基板２６が配列されている検出器部分の外周部分に吸気部３５が配されている。各吸気孔３４は、例えば長手方向が回転軸方向に沿って延びる矩形のスリット状の開口であって回転フレーム２３の外部と内部とを連通している。
【００３４】
図７及び図８に示すように周壁部３１の外面には、吸気部３５を取り囲むガイド壁１３６が設けられている。例えガイド壁１３６は所定の厚さ及び高さを有し、周壁部３１の外面から外方に立設される壁状部材であって、回転フレーム２３の周壁部３１に一体に形成されている。
【００３５】
ガイド壁１３６は、回転方向に延びるとともに、回転方向に対して湾曲する緩やかなカーブに沿う一対の外面を有している。ガイド壁１３７は複数の吸気孔３４で構成される吸気部３５の全周を取り囲むとともに、回転方向先方が先鋭であるとともに、回転方向後方に向けて緩やかなカーブを呈する流線形状に近い外形を有している。ガイド壁１３６は吸気部３４の周りから、ガントリ２４の換気口２４ａに向けて延びる管路を形成し、回転フレーム２３内への空気の吸気位置をガントリ２４の換気口２４ａに近づけることで、吸気をコントロールする。
【００３６】
回転フレーム２３の幅方向一方側の側壁部３２には、回転フレーム２３内の空間に連通する複数の排気孔３９と、この排気孔３９に設置される回転羽根式のファン４０と、を備える排気部４１が設けられている。回転フレーム２３には、吸気部３５の吸気孔３４から、回転フレーム３２内の空間を通って排気孔３９に至る所定の通風路が形成される。
【００３７】
ガントリ２４は、例えば回転フレーム２３の外面を覆うとともに、回転フレーム２３を回転可能に支持可能に構成されている。ガントリ２４は回転フレーム２３を覆う所定の筺状であって、ガントリ２４の所定箇所には、外部に連通する吸気や排気用の換気口２４ａが形成されている。
【００３８】
以上の様に構成されたＸ線ＣＴ装置１１０において、撮影時に制御部４４の制御によって回転フレーム２３が回転すると、Ｘ線管２１とＸ線検出器２２が、互いに対向した状態で被検体Ｐの周りを回転する。
【００３９】
この回転フレーム２３の回転動作と、排気部４１のファン４０の動作によって、空気が、吸気孔３４から強制的に取り込まれ、検出器２２が配される回転フレーム３２内の空間を通って排気孔３９から排出させられる。このとき、空気は所定の間隔で配設された信号基板２６間の隙間を通り、また検出素子２５の裏側を通ることで、検出素子２５や信号基板２６で発生した熱を冷却することができる。
【００４０】
また、回転フレーム２３の停止時には、Ｘ線検出器２２はガントリ２４の換気口２４ａに対向配置される。本実施形態に掛かるＸ線ＣＴ装置１１０は、回転フレーム３２の外面において、吸気部３５の周りがガイド壁１３６によって取り囲まれている。この状態で、ガイド壁１３６によって吸気部３５から換気口２４ａに向かう管路が形成されていることにより、排気孔３９から出た空気がすぐに取り込まれることを回避することができる。すなわち、一般的に、排気孔３９と吸気孔３４が近い位置にある場合、回転フレーム２３の回転によって、一端吸気部３５から取り込まれて熱交換された高温の空気が、側壁部３２の排気孔３９から排出された後、再度側壁部３２から周壁部３１へ回り込み、所望の冷却性能が得られなくなることが考えられる。これに対し、本実施形態においては、吸気部３５の周りをガイド壁１３６で取り囲み、吸気位置を周壁部３１からガントリ２４の換気口２４ａに近づけることができるため、再吸気を制限することができる。
【００４１】
本実施形態によれば、吸気部３５の周りをガイド壁１３６で取り囲むことで、吸気の位置を周方向外方に離し、排気孔３９からの高温の空気を再吸気することを制限することができる。このため、単純な構造で冷却性能を向上することができる。
【００４２】
なお、本発明は上記例示した各実施形態に限られるものではなく、各種構成を適宜変更して実施することが可能である。
【００４３】
例えば、上記第２実施形態において、ガイド部１３７は吸気部３５の周囲を取り囲む閉じた形状としたが、他の形状としてもよい。例えば他の実施形態として図９に示すＸ線ＣＴ装置２１０のように、回転方向後側においてガイド壁１３６を、一部が開口したオープン構造としてもよい。本実施形態においてガイド壁１３６は、回転方向後方に開口する形状に構成されている。この場合、排気部４１から排出された暖かい空気がすぐに取り込まれることを避けながらも、一定以上離れた位置での吸気量は確保することができる。
【００４４】
また、上記第１及び第２実施形態において、整流板３６やガイド壁１３６によってガイド部３７，１３７を構成する例を示したが、これに限られるものではない。例えば他の部品を支持するための支持機構や補強のためのリブ構造をガイド構造として併用することも可能である。
【００４５】
例えば他の実施形態として図１０に示すＸ線ＣＴ装置３１０は、整流板３６は支持部材３２７と一体に構成されている。すなわち、周壁部３１の内面に立設する整流板３６の先端部分に、複数の支持片２２７ａとスリット２２７ｂとを交互に有する櫛歯状の支持部材２２７が形成されている。この場合にも上記実施形態と同様の効果を奏することができる。
【００４６】
また、他の実施形態として図１１に示すＸ線ＣＴ装置４１０は、整流板４３６の先端面が、支持部材として機能する。すなわち、整流板４３６は、回転の径方向内側の端面が櫛歯状に構成され、内方に突出する凸状の支持片４２７ａと、外方に凹む凹形状のスリット４２７ｂとが、所定のピッチで交互に形成されている。この場合にも上記実施形態と同様の効果を奏することができる。
【００４７】
また、上記各実施形態においては、ガイド部として、内側の整流板３６と外面のガイド壁１３６のいずれかを備える例を示したがこれに限られるものではなく、例えば、他の実施形態として図１２に示すＸ線ＣＴ装置５１０のように、ガイド部として内周壁３１の内側に形成された整流板３６と、外面に形成されたガイド壁１３６を両方備えることとしてもよい。この場合、上記第１実施形態の効果と第２実施形態の効果を奏することができる。
【００４８】
さらに、上記第１及び第２の実施形態において、吸気部３５は８つの吸気孔３４を備える構成としたが、これに限られるものではなく、吸気孔３４の形状や数を変更して実施することが可能である。さらに、各吸気部３５の形状や長さなどの条件に応じて、ガイド部１３７を複数箇所に分けて配置してもよい。また、複数の吸気孔３４を複数箇所に分けて配置し、各グループを取り囲むように複数のガイド部３７、１３７を構成してもよい。
【００４９】
例えば、他の実施形態とし図１３及び図１４に示すＸ線ＣＴ装置６１０は、周壁部３１の外面において、２カ所のグループに分かれて、吸気孔３４が５つずつ並列配置されている。各グループの５つの吸気孔３４をそれぞれ取り囲むように、ガイド壁１３６が形成されている。この場合にあっても、上記第２実施形態と同様の効果を奏することが可能である。
【００５０】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５１】
１０、１１０，２１０…Ｘ線ＣＴ装置、１１…寝台装置、１２…コンソール、２１…Ｘ線管、２２…Ｘ線検出器、２３…回転フレーム、２４…ガントリ、２４ａ…換気口、２５…検出素子、２５ａ…検出基板、２６…信号基板、２７…支持構造、３１…周壁部、３２…回転フレーム、３２…側壁部、３４…吸気孔、３５…吸気部、３６…整流板、３６ａ…絞り壁部、３６ｂ…ガイド壁部、３７…ガイド部、３８…流路、３８ａ…絞り流路、３８ｂ…ガイド流路、３９…排気孔、４０…ファン、４１…排気部、４２…表示部、４３…入力部、４４…制御部、１１０…Ｘ線ＣＴ装置、１３６…ガイド壁、１３７…ガイド部。
【図１】
2017051484.tif 000003
【図２】
2017051484.tif 000004
【図３】
2017051484.tif 000005
【図４】
2017051484.tif 000006
【図５】
2017051484.tif 000007
【図６】
2017051484.tif 000008
【図７】
2017051484.tif 000009
【図８】
2017051484.tif 000010
【図９】
2017051484.tif 000011
【図１０】
2017051484.tif 000012
【図１１】
2017051484.tif 000013
【図１２】
2017051484.tif 000014
【図１３】
2017051484.tif 000015
【図１４】
2017051484.tif 000016